(57)【要約】【課題】  電池を電源として機能する装置において、当該装置を機能させている際に前記電源の電池の電力や電圧が当該装置の機能に必要なレベル以下に降下し、結果的に、当該装置が機能の最中に停止や誤動作が生じることを回避させることを目的とする。【解決手段】  装置の機能を開始させる際に（Ｓ１）、前回終了の時刻から今回開始の時刻までの経過時間が予め設定した一定時間より長いか否かを判別し（Ｓ４）、短ければ電池のエネルギーは十分であると見なして電池残量の検査を終了し（Ｓ８）、長ければ、前回終了時以降に電池を新しくてエネルギーが十分なものに交換したか否かを判別し（Ｓ６）、交換したならば電池のエネルギーは十分であると見なして電池残量の検査を終了し（Ｓ８）、交換していなければ電池のエネルギーは不十分である旨の警告メッセージを表示部に表示するように構成した（Ｓ７）。【選択図】  図２
2009059560.tif 000002
【特許請求の範囲】
【請求項１】
電池電源によって機能する電池電源式装置において、
電源電池が交換されるとその旨を伝える機能が備えられ、電池からの電力を装置本体に供給する電池電源部と、現在時刻を計時する時計部と、不揮発性メモリを備えて前記時計部の時刻を記憶する記憶部と、報知部と、が備えられ、
装置が機能を開始する際と終了する際のそれぞれの時刻を前記時計部から読み出して前記記憶部に記憶させ、装置が機能を開始する際に前回終了した時刻から予め設定した一定時間より長い時間が経過していて、且つ、その間に前記電池電源部において電池の交換が行われなかった場合には、前記電池電源部のエネルギーの残量が少ない可能性がある旨を前記報知部が報知するように構成されたことを特徴とする電池電源式装置。
【請求項２】
前記時計部が独立した電源によって機能する構成の請求項１に記載の電池電源式装置。
【発明の詳細な説明】
【技術分野】
【０００１】
この発明は、例えば、ポータブルレコーダ・プレーヤ、携帯型コンピュータ、携帯ビデオカメラ等のように、電池からの電力の供給によって機能する電池電源式装置に関する。
特に、装置を機能させている際に電源電池のエネルギーが一定以下になって、装置が停止したり誤動作が生じることを回避するための改良に関する。
【背景技術】
【０００２】
電源電池からの電力の供給によって機能する装置は、機能している途中で前記電源電池のエネルギーが一定レベル以下になって、電力や電圧が当該装置が正常に機能するのに必要なレベル以下になると、結果的に、その装置が十分に機能しなくなったり、機能が突然に中断したり、或いは、誤動作を生じたりすることになる。
斯かる場合、例えばポータブルレコーダ・プレーヤを機能させて所望する音声を記録している際に中断等が生じると、ユーザーにとっては予期せぬ機能の停止によって、目的としていた結果（所望音声の記録）を得ることができなくなる。
【０００３】
又、電源電池のエネルギーが不十分であるのに拘わらず無理に機能を続行させようとすると、場合によっては、装置そのものが簡単に初期の状態に回復しなくなるなどの問題が生じることもある。
そこで、このような電源電池のエネルギー不足に起因する問題を回避するために、装置を機能させる前に或いは装置を機能させている際に、装置を機能させるための電源電池のエネルギーの残量（電池残量）を知る技術が求められており、以下の特許文献１で開示されている。
【０００４】
他方、機能中の装置において使用している電源電池がエネルギー不足となって突然に必要な情報が消滅することを回避するために、前記消滅対象の情報を保持するために例えばフリップ・フロップ回路を備えることによって電池の交換後に再起動時に電池電圧の再検出を行う技術は以下の特許文献２で知られている。
【０００５】
【特許文献１】特開平９−２６９５２３号公報
【特許文献２】特開２００２−２７０２４８号公報
【発明の開示】
【発明が解決しようとする課題】
【０００６】
特許文献１に記載の発明は、電源電池から電力を受ける装置であるカメラを使用している最中に、電源電池からの供給電力が装置が機能するのに必要とするレベル以下に低下した場合、撮影中のカメラマン（ユーザー）にその旨を伝えることによって使用が不可能の下で撮影を行うことを避けるように、電源電池の電流、電圧及び温度の情報に基づき電池のエネルギーの残量を予測し、この残量の予測とカメラマンが撮影に必要とするエネルギーを比較して、その比較結果に基づいてカメラマンにエネルギーの不足を報知するように構成されている。
従って、特許文献１に記載の発明は、電源電池が撮影に必要とするエネルギーより下回る場合が生じる可能性がある際にはその旨がカメラマンに報知されるので、カメラマンはこの報知に基づいて予め電源電池のエネルギー不足への対応が可能となって、結果的に、撮影途中にエネルギー不足によって撮影中に電源上の問題が生じるという虞を回避することが可能である。
【０００７】
しかし、使用する電源電池が一次電池であっても二次電池であっても使用することによって電圧は降下する。又、当該装置に使用される電源電池はその装置を機能させず使用（エネルギーの消費）を行わなくとも、自然放電によって時間経過と共に僅かではあるが電源の電位が降下して行く。
従って、特許文献１に記載の発明では、装置を使用していて電源電池の電圧がユーザーの予想よりも自然放電によって大きく降下する場合、電力、電圧等が不足していない旨の報知を受けたとしても装置そのものの正常な機能が必ずしも保証されるものではないという問題が生じる。
【０００８】
斯かる問題に対して、特許文献２には、装置に装着されている電源電池が交換されているか否かを検出する手段を備え、交換されていない場合には前回の機能終了状態に基づいて電池の残量（エネルギー量）を正確に表示する発明が記載されている。
斯かる構成の発明は、正常動作に必要な電池電圧が所定のレベル以下になる場合に、誤動作の発生を防ぐために電源を切ることによって誤動作の発生を回避することが可能である。
【０００９】
しかし、装置に装着されて交換されないままの電源電池は、自然放電することによって電力や電圧が装置の機能に必要なレベル以下になる場合が生じ、又、電池はエネルギーの残量が十分でないのに拘わらず使用する環境の温度によってはエネルギーの残量が十分であるかのように見せ掛けが生じ、実際に装置を機能させるとすぐに電力、電圧等が当該装置の機能に必要とするレベルを下回り装置の機能が継続せず停止してしまう場合がある。
このような状態にある電源電池は、実際には当該装置が機能するほどに必要なエネルギーの残量等がないので、当該装置を継続して機能して行くと徐々に電力や電圧の降下が生じるのではなく、ごく短時間の内に急激な電力や電圧の降下が生じるので、結果的に、ユーザーは電力や電圧が不足しているという警報を受けてもタイムリーに対応が出来ず、問題はより深刻であった。
【００１０】
この発明は、上記の事情に鑑みてなされたものであり、電池を電源として機能する装置であって、当該装置を機能させている際に電源として使用している電池の電力や電圧が当該装置の機能に必要なレベル以下に降下し、結果的に、当該装置が機能の最中に期待通りに機能しなかったり、誤動作や機能停止が生じることを回避させ得る電池電源式装置を提供するものである。
【課題を解決するための手段】
【００１１】
この発明は、機能の停止と次回の機能の再開との時間、及び、電源電池の交換の有無に基づいて、電池電源部のエネルギーの残量が少ない可能性があると判別された場合にその旨を報知するように構成した電池電源式装置である。
その詳細な構成は、電池電源によって機能する電池電源式装置において、
電源電池が交換されるとその旨を伝える機能が備えられ、電池からの電力を装置本体に供給する電池電源部と、現在時刻を計時する時計部と、不揮発性メモリを備えて前記時計部の時刻を記憶する記憶部と、報知部と、が備えられ、
装置が機能を開始する際と終了する際のそれぞれの時刻を前記時計部から読み出して前記記憶部に記憶させ、装置が機能を開始する際に前回終了した時刻から予め設定した一定時間より長い時間が経過していて、且つ、その間に前記電池電源部において電池の交換が行われなかった場合には、前記電池電源部のエネルギーの残量が少ない可能性がある旨を前記報知部が報知するように構成されたことを特徴とする電池電源式装置である。
【００１２】
この発明は、上述したように、装置が機能している際に電力や電圧が不足し始め、このことによって期待通りの機能が行われなくなることを回避することが前提となっている。電源電池は、使用と共に残量（エネルギー）は低下し、又、例え使用しなくとも、自然放電によって電力や電圧の低下は必ず生じる。
従って、この発明の発明者は、電池を電源として機能する装置においては電源電池の電力や電圧が装置が機能に必要とするレベル以上を常に保ち続けることは不可能であるので、電源電池の残量の低下に対してより一層問題が生じない状態を得ることが意味を持つものと考えて、この発明を完成するに到った。
【００１３】
ここで、上記の「予め設定した一定時間」とは、当該装置において電源電池の電力、電圧の低下の程度を実験的、経験則的に知り得た時間長さを意味する。
又、この「一定時間」は、電源として使用する電池そのものの特性に大きく依存するものであるから、電池の種類毎によって一定時間は異なることになる。
【発明の効果】
【００１４】
この発明は、電池によって機能する装置において、前回の機能終了時から今回の機能までの時間が予め設定した一定時間より経過しているか否か、及び、前回の機能終了以降に電源電池を交換したか否かに基づいて、電源電池のエネルギーが装置を機能させていく上で十分である否かを判別するように構成したことにより、電源電池が自然放電によってエネルギー（電池の残量）が減っていたり、電池の周囲温度によって電池の残量が誤って表示され得る場合であっても、装置を実際に機能させて行く場合にその途中で前記電源電池のエネルギーが急激に減少して電力や電圧が突然に装置の機能に必要とするレベル以下になって、結果的に、装置の機能が途中で停止したり誤動作が生じたりするといった事態を防ぐことが可能な電池電源式装置である。
【発明を実施するための最良の形態】
【００１５】
この発明を、以下に示す実施するための最良の形態に基づいて詳述する。しかし、この実施の形態によって、この発明が限定されるものではない。
電池電源式装置１は、図１に示すように、機能部である記録再生部２と、マイクロフォン３と、Ａ／Ｄ変換器４と、スピーカ５と、Ｄ／Ａ変換器６と、時計部７と、電池電源部８と、ＣＰＵ９と、メモリ１０と、記憶部１１と、操作部１２及び表示部１３が備えられている。
【００１６】
電池電源式装置１は、音声をマイクロフォン３でピックアップしてデジタルデータとして記憶し、所望により、その記憶したデータを音声に再生してスピーカ５から出力するように機能するものである。
マイクロフォン３は、人の話し声や歌声、音楽、動物や鳥類の鳴き声等の音声をピックアップして音声に係るアナログの音声信号に変換し、Ａ／Ｄ変換器４に送るものである。
【００１７】
Ａ／Ｄ変換器４は、マイクロフォン３からのアナログの音声信号をデジタルのデータに変換し、記憶再生部２に送るものである。
記憶再生部２は、バッファメモリと記憶媒体（共に図示省略）が内蔵されており、Ａ／Ｄ変換器４からのデジタルの音声に係るデータを前記記憶媒体に記憶し、又、前記記憶媒体に記憶されているデジタルの音声に係るデータを再生してＤ／Ａ変換器６に送るものである。
【００１８】
Ｄ／Ａ変換器６は、記憶再生部２からデジタルの音声に係るデータを受け取るとアナログの音声信号に変換し、スピーカ５に送るものである。
スピーカ５は、増幅手段（図示省略）が備えられており、Ｄ／Ａ変換器６からのアナログの音声信号を受けると、所望のレベルの音声として出力するものである。
【００１９】
時計部７は、クロック１４と独立電源である電池１５が備えられ、クロック１４は電池１５からの電力の供給によって現在時刻をカウントするように機能するものである。
電池電源部８は、電源電池１６と電源回路１７が備えられ、装置が機能するための電力を記憶再生部２、スピーカ５、ＣＰＵ９、表示部１３等の各部に供給するものである。
尚、図１では、電池電源部８から各部への電力の供給の図示は省略されている。
【００２０】
ここで、電源電池１６は、電池電源式装置１が機能している際に、電源電池１６の電力、電圧或いは電流が電池電源式装置１の機能に要するレベル以下になることを回避するために交換が簡便に行う必要性から、具体的には、通常の乾電池（一次電池）或いは充電可能な二次電池が挙げられる。
電源回路１７は、電池電源式装置１を機能するように電源電池１６からの電力の変換、電源電池１６からの電力の出力の制御等を行うものである。
【００２１】
ＣＰＵ９は、電池電源式装置１が機能するために統括的な制御を行うものであり、具体的には、電池電源式装置１の機能において後述する。
メモリ１０は、ＣＰＵ１０が機能するために必要なデータを格納するものである。
【００２２】
記憶部１１は、不揮発性メモリが備えられ、電池電源式装置１が機能を開始する際の時刻と電池電源式装置１が機能を終了する際の時刻をそれぞれ時計部７から読み出して記憶するものである。又、記憶部１１は、電池電源部８の電源電池１６が交換された際には、その旨も記憶することも可能である。
操作部１２は、ユーザーが電池電源式装置１を所望通りに機能させるように操作を行うためのものであり、具体的な形態としてはキーボードである。
【００２３】
又、操作部１２において電池電源式装置１を機能させる具体的な内容は、メイン電源スイッチ（図示省略）のＯＮ／ＯＦＦ、記憶再生部２の機能の制御、表示部１３の機能の制御等が挙げられる。
表示部１３は、電池電源式装置１の現行状態の表示、より具体的には、記録再生手段２に内蔵の前記記録媒体の使用領域と空き領域の大きさ、記録再生手段２の機能状態、スピーカ５の出力のレベル、電源電池１６の残量等の表示を行うが、これに加えて、電源電池１６を交換したか否かの問い合わせメッセージの表示と電池電源部８の電源電池１６のエネルギーが不十分である旨の警告メッセージの表示、つまり、報知部としての機能も行うものである。
【００２４】
電池電源式装置１は、各部が上述したように構成されている。以下において、電池電源式装置１の機能を説明する。
ユーザーは、電池電源部８に電源電池１６が所定通りにセットされていることを確認する。
ここで、電池電源式装置１は起動可能な状態になり、ユーザーは操作部１２を操作してまずメイン電源スイッチをＯＦＦからＯＮにする（Ｓ１）。
【００２５】
この時、ＣＰＵ９は、電池電源式装置１においてメイン電源がＯＮになったことに基づき、時計部７から現在時刻を読み出し（Ｓ２）、その直後に、記憶部１１に記憶されている電池電源式装置１の機能の前回終了時の時刻を読み出す（Ｓ３）。
ここで、ＣＰＵ９は、前回終了時から現在時刻までの経過時間が予め設定した一定時間より長いか否かの判別を行う（Ｓ４）。
【００２６】
尚、ここで言う「予め設定した一定時間」とは、電池電源式装置１が機能している際に途中で電源電池１６がエネルギー不足となって電力、電圧等が低下して機能の実質的な停止が生じることのない程の時間長さを実験的、経験則的に知り得た値を意味する。
従って、この「一定時間」は、電池電源式装置１の機能による消費と電源電池１６のエネルギー容量に大きく依存するものであって、具体的な値は個々の装置とその装置の機能等によって異なる値である。
【００２７】
Ｓ４において、前回終了時から現在時刻までの経過時間が予め設定した一定時間より長くないと判別された際には、電源電池１６のエネルギーは十分であって電池電源式装置１を機能させて行くことに問題は生じないと見なされ、電池電源部８のエネルギーの検査は終了する（Ｓ８）。
他方、Ｓ４において、前回終了時から現在時刻までの経過時間が予め設定した一定時間より長いと判別された際には、電源電池１６のエネルギーは不十分であって電池電源式装置１を機能させて行くと問題が生じるかも知れないと見なされる。
【００２８】
ここで、ＣＰＵ９は、表示部１３に「電池交換をしましたか？」という表示をさせるための制御信号を送る。表示部１３は、ＣＰＵ９からの制御信号に基づき、「電池を交換しましたか？」のメッセージを表示する（Ｓ５）。
ここで言う「電池交換」とは、この発明が、電池電源式装置１が連続的に機能可能であって途中で機能停止が生じることを避けることをすることを目的としていることから明らかなように、電源電池１６が前回終了時以降に十分にエネルギーが蓄えられている電池に交換されたか？、ということを意味している。
【００２９】
表示部１３に表示された「電池を交換しましたか？」のメッセージの問いに対して、ユーザーは、電源電池１６を未使用でエネルギーの十分なものに交換した場合には、その旨を操作部１２から入力する（Ｓ６でＹ）。
ここで、ＣＰＵ９は、電源電池１６を交換した旨の入力信号を受けると、電源電池１６のエネルギーは十分であって電池電源式装置１を機能させて行くことに問題がないと見なされて、電池電源部８のエネルギーの検査は終了する（Ｓ８）。
【００３０】
他方、表示部１３に表示された「電池を交換しましたか？」のメッセージの問いに対して、ユーザーは、未使用でエネルギーが十分な電源電池１６を交換していない場合には、交換していない旨を操作部１２から入力する（Ｓ６でＮ）。
ここで、ＣＰＵ９は、電源電池１６を交換していない旨の入力信号を受けると、表示部１３に「電池残量が不十分」を表示するように制御信号を送る。
【００３１】
表示部１３は、ＣＰＵ９からの制御信号に基づいて「電池残量が不十分」のメッセージを表示するので（Ｓ７）、ユーザーはこの表示を、電池電源式装置１を機能させて行くと電源電池１６のエネルギー（電池残量）が不十分であることから機能の途中でエネルギー不足になって電力や電圧が必要とするレベル以下になり、結果的に、機能が停止したり通常の機能が継続しなくなるという意味の警告報知のメッセージとして受け取って、電池電源部８のエネルギーの検査は終了する（Ｓ８）。
さて、今回の電池電源部８のエネルギー（電池の残量）の検査であって、前回終了時から予め設定した一定以上の時間が経過していて且つ電源電池１６を交換していないという場合では、Ｓ４において前回終了時から予め設定した一定以上の時間が経過しているので、判別では「Ｙ」となって、Ｓ５に進む。
【００３２】
Ｓ５において、表示部１３に「電池交換をしましたか？」のメッセージが表示されるが、電池交換をしていないので、Ｓ６において「Ｎ」の判別を行う。
ここで、表示部１３に「電池残量が不十分」のメッセージが表示されるので（Ｓ７）、この状態で電池電源式装置１を機能していくと途中で電源電池１６の残量が一定のレベル以下となって機能停止が生じる可能性があることを、ユーザーは気付くことになる。
【００３３】
Ｓ８に進んで、電池電源部８のエネルギーの検査を終了する。
ここで、ユーザーは、電池電源式装置１のメイン電源を一度ＯＦＦにした後、電源電池８を未使用の新しいものに交換し、電池電源式装置１のメイン電源をＯＮの状態にしてから、再度、電池電源部８のエネルギーの検査を行う。
【００３４】
電池電源式装置１は前回の終了時から現時点までは既に予め設定した一定時間を経過しているので、Ｓ４において「Ｙ」に判別されてＳ５及びＳ６に進む。
Ｓ６において、「電池を交換しましたか？」の問い合わせメッセージに対し電源電池１６を新しいものに交換しているので、ユーザーは交換した旨を操作部１２から入力すると「Ｙ」に判別される。
ここで、電池電源部８のエネルギーの検査は終了する（Ｓ８）。
【００３５】
ユーザーは、電池電源式装置１を機能させ続けることが可能であって途中でエネルギー不足になって正常な機能が停止することがない程に、電池電源部８のエネルギーが十分であることを確認した後、電池電源式装置１を機能させる。
つまり、ユーザーが、操作部１２から記録再生部２を機能させてマイクロフォン３がピックアップする音声をデータとして記録するように操作を行うと、この操作に基づく機能出力の制御信号がＣＰＵ９から記録再生部２に送られる。
【００３６】
記録再生部２は、ＣＰＵ９からの制御信号に基づいて、マイクロフォン３がピックアップした音声をアナログの音声信号に変換し、Ａ／Ｄ変換器が前記アナログの音声信号をデジタルのデータに変換し、このデジタルのデータを記録再生部２が記録する。
この記録再生部２がデジタルのデータの記録を行っている際、ＣＰＵ９はその旨を検知して表示部１３に表示するように機能する。
【００３７】
他方、電池電源式装置１がこのようにデータの記録という機能を行っている間、電源電池１６のエネルギーは消費されている。
しかし、上述したように、電源電池１６は未使用であってエネルギーの量が十分であることから、その機能の最中に電力や電圧が一定以下となって電池電源式装置１の機能が停止したり、誤動作を生じたりといった、実質的な中断が生じることは最も強く回避することが可能になっている。
【００３８】
尚、ここで、「最も強く回避」とは、電源として電源電池１６を使用しているのでエネルギーに限りがあり、電池電源式装置１が機能することによって電源電池１６のエネルギーはいずれ消尽されるが、最初からエネルギーが不十分な状態の電源電池１６を使用することに比して未使用でエネルギーが最も多い状態の電源電池１６を使用すると電池電源式装置１を機能させ得る時間が最も長く確保でき、使用によって生じるエネルギーの不足によって機能の実質的な中断を最も高い確度で回避させることが可能になっており、このこと意味する。
【００３９】
ユーザーが、所望する音声データの記録を終え、その記録された音声データを再生する場合には、データ再生のための操作を操作部１２から行うと、ＣＰＵ９は、操作部１２からの制御信号を受けて記録再生部２のデータ再生の制御信号を送る。
ここで、記録再生部２は、内蔵の前記記録媒体から音声に係るデジタルの音声データを再生してＤ／Ａ変換器６に送る。
【００４０】
Ｄ／Ａ変換器６は、記録再生部２からのデジタルの音声データを受け取るとアナログの音声信号に変換してスピーカ５に送る。
スピーカ５は、内蔵の前記増幅手段によって増幅した音声を出力する。この時、表示部１３には、スピーカ５からの音声の出力レベルが表示されている。
ユーザーは、音声データの再生を停止して、電池電源式装置１の機能を停止すると、時計部７がその停止の時刻をＣＰＵ９を介して記憶部１１に送り、記憶部１１はその停止の時刻を記憶する。
【００４１】
尚、電池電源式装置１の電池電源部８のエネルギーの検査において、前回終了時から今回使用までの時間が前記の予め設定した一定時間を超えていない場合には、Ｓ４において「Ｎ」の判別が行われて、終了（Ｓ８）に進む。
ここで、電池電源部８に現在装着されている電源電池１６は前回の機能に使用されたものであるが、予め設定した一定期間の間に行われる自然放電によるエネルギーの減少（電池残量の減少）程にはエネルギーが減少しておらず、電池電源式装置１が機能している最中に電力や電圧が一定レベル以下になって機能が停止するような事態は生じないと見なして、終了（Ｓ８）に進む。
【００４２】
又、前回終了時から今回使用までの時間が前記の予め設定した一定時間を経過しているが、今回の機能させることに対して電源電池１６を新しくてエネルギーの量が十分なものに交換している場合には、ユーザーはＳ６において「Ｙ」の判別を行って、その旨を操作部１２から入力する。
ここで、電池電源部８に現在装着されている電源電池１６は今回新しく装着されたものであり、電源電池１６のエネルギーは十分であって、電池電源式装置１が機能している最中に電力や電圧が一定レベル以下になって機能が停止するような事態は生じないと判断されて終了（Ｓ８）に進む。
【００４３】
上述したように、電池電源式装置１は、電源としてエネルギーに限りがあって使用と共にエネルギーの量が減少し、又、自然放電によってもエネルギーの量が減少する電源電池１６を用いて機能する装置であるが、電池電源式装置１を機能させることや自然放電によって電源電池１６の電力や電圧が電池電源式装置１の機能に必要なレベル以下に降下し、結果的に、電池電源式装置１が機能の最中に期待通りに機能しなくなることに対して、使用前に、前回使用時と今回使用時の間が自然放電によって電池電源部８のエネルギーが不十分とさせる予め設定した一定の時間長さより長いか否か、及び、前回使用の後に電源電池１６を新しくてエネルギーが十分なものに交換したかを検査するに構成したことから、電源電池１６のエネルギーが不足して機能が停止したり誤動作が生じるといったことを回避することが可能になっている。
【００４４】
上述した電池電源式装置１の使用の仕方では、前回終了時から今回使用時の間において電源電池１６を交換したか否かは、ユーザーが操作部１２から操作して入力しているが、上述したように、記憶部１１に記憶させることが可能であり、記憶部１１に記憶させた内容に基づいて電池電源部８のエネルギーの検査を自動的に行う構成であってもよい。
又、電池電源式装置１は、時計部７からの現在時刻に基づき、電池電源部８の電源電池１６の交換時刻を表示部１３に表示させる機能を付加することも可能である。
【００４５】
電池電源式装置１は、時計部７からの計時機能に基づいて機能の開始から現在時刻までの時間を表示部１３に表示する機能を付加することにより、電池電源部８の電源電池１６のエネルギー（残量）の減少の目安にすることが可能である。
電池電源装置１の機能は音声データの記録と再生であるが、コンピュータ、ビデオカメラ、無線通信等であってもよい。
【００４６】
電池電源式装置１では、時計部７は独立電源の電池１５を備えて構成されているが、斯かる構成によって、装置全体への供給電力と独立して時計部７を機能させることが可能になっている。
電池電源式装置１では、報知部は表示部１３によって兼用機能させているが、報知部は表示部１３と独立した構成であってもよく、又、警告音を発声することで報知を行う構成であってもよい。
【図面の簡単な説明】
【００４７】
【図１】この発明を実施するための最良の形態の電池電源式装置の制御信号と音声信号の構成を示すブロック図である。
【図２】図１に示す実施の形態において、電池電源部の電源電池のエネルギーの検査の順序を説明するフローチャートである。
【符号の説明】
【００４８】
１：        電池電源式装置
２：        記録再生部
３：        マイクロフォン
４：        Ａ／Ｄ変換器
５：        スピーカ
６：        Ｄ／Ａ変換器
７：        時計部
８：        電源部
９：        ＣＰＵ
１１：      記録部
１３：      表示部（報知部）
１４：      クロック
１６：      電源電池
１７：      電源回路
【図１】
2009059560.tif 000003
【図２】
2009059560.tif 000004